(57)【特許請求の範囲】
【請求項１】
ボール本体の上部周縁に所定間隔をもって複数の取付部が設けられ、当該取付部が、少なくともシリコンその他の弾性変形可能な素材からなり且つボール本体と一体成形されると共に、切り込みにより内側に複数の舌状の曲げ片が形成されたものであり当該各曲げ片が僅かな隙間をもって周状に並んで設けられた構造であることを特徴とするボール。
【請求項２】
前記取付部は、前記曲げ片が複数対向または隣接して設けられ且つ先端に微小な丸みを設けていることを特徴とする請求項１に記載のボール。
【請求項３】
前記ボール本体の上部周縁にフランジが側方に張り出して設けられ、当該フランジに、前記取付部が設けられていることを特徴とする請求項１又は２に記載のボール。
【発明の詳細な説明】
【技術分野】
【０００１】
本発明は、油やスープ等の液体を濾過するためのボールに関するものである。
【背景技術】
【０００２】
従来から特許文献１に記載されている濾紙又は濾布の保持具が知られている。この保持具は、プラスティック製樹脂から成る略ドーナツ状の板体に、その円周に沿って並行に弧を描きながら４箇所、等間隔に切り込みを入れ濾紙又は濾布の保持部を設けた構成である。保持部である切り込みは、内側から１０ｍｍ間隔に並行に３本設けられ、その長さは外周に近づくに従って短くなる。
【０００３】
当該保持具を使用する時は、板体上に設けられた保持部４箇所それぞれの、同レベルの切り込みに，濾紙又は濾布の四隅を挟み込み、固定する。その状態で保持具をボールの上に乗せ材料を流し込み濾過する。これにより、濾紙又は濾布がしっかりと固定される為に、失敗がなく容易に液体を濾すことができ、切り込みを数段階設けることでボールの大きさに合わせ調節ができるようになる。
【先行技術文献】
【特許文献】
【０００４】
【特許文献１】特開２００２−１７７７１１号公報
【発明の概要】
【発明が解決しようとする課題】
【０００５】
しかしながら、上記保持具は、濾紙又は濾布を四隅の細長い切り込みに挟み込ませる必要があるため、濾紙又は濾布を取り付けるのに手間が掛かっていた。この発明は、係る問題点を解決するためになされたものである。
【課題を解決するための手段】
【０００６】
本発明のボールは、ボール本体の上部周縁に所定間隔をもって複数の取付部が設けられ、当該取付部が、少なくともシリコンその他の弾性変形可能な素材からなり且つ切り込みにより形成された曲げ片からなることを特徴とする。
【０００７】
また、本発明のボールは、上記発明において、前記取付部が、前記曲げ片が複数対向または隣接して設けられていることを特徴とする。
【０００８】
また、本発明のボールは、上記発明において、前記ボール本体の上部周縁にフランジが側方に張り出して設けられ、当該フランジに、前記取付部が設けられていることを特徴とする。
【０００９】
また、本発明のボールは、上記発明において、ボール本体の上部周縁が少なくとも弾性変形可能な素材からなり、その上部周縁から切り込みが設けられることで取付部が形成され、当該取付部が間隔を開けて上部周縁に複数設けられたことを特徴とする。
【発明の効果】
【００１０】
本発明によれば、濾紙又は濾布を前記曲げ片を形成した取付部に指等で押し込むことで簡単に固定できる。
【図面の簡単な説明】
【００１１】
【図１】この発明の実施の形態１にかかるボールを示す斜視図である。
【図２】図１に示したボールの平面図である。
【図３】図１に示したボールの底面図である。
【図４】図１に示したボールの正面図である。
【図５】図１に示したボールの右側面図である。
【図６】取付部の拡大平面図である。
【図７】ボールの使用状態を示す説明図である。
【図８】この発明の実施の形態２にかかるボールを示す斜視図である。
【図９】取付部の変形例を示す説明図である。
【図１０】取付部の変形例を示す説明図である。
【図１１】この発明の実施の形態３に係るボールを示す斜視図である。
【発明を実施するための形態】
【００１２】
（実施の形態１）
図１は、この発明の実施の形態１にかかるボールを示す斜視図である。図２は、図１に示したボールの平面図、図３は底面図、図４は正面図（背面図は正面図と同一に現れる）、図５は右側面図（左側面図は右側面図と同一に現れる）である。
【００１３】
このボール１００は、シリコン等の弾性変形が可能な素材からなり、その上部周縁には側方に張り出したフランジ２が設けられている。ボール本体１は円形の底を有する略半球状であるが、前記フランジ２は、図２に示すように、取付部３を設けた部分が外側に膨らんだ形状となる。
【００１４】
フランジ２には、周方向に均等に４個の取付部３が設けられる。この取付部３は、図６に示すように、楕円形のリブ４の内側を中心から放射状に複数の切れ目５を設けた構成である。換言すれば、取付部３は円形の縁から内側に複数の舌状の突出片６が形成され、各突出片６が僅かな隙間をもって周状に並んだ構成である。上記のボール本体１とフランジ２は、前記取付部３を含めて一体成形される。ボール１００の素材は、厚さが１ｍｍ以上４ｍｍ以下のシリコンが好ましく、２ｍｍ以上３ｍｍ以下とするのがより好ましい。シリコン硬度（アスカーＣ）は３０〜７０が好ましい。ボール１００の直径は、１２０ｍｍ以上３００ｍｍ以下、高さは１００ｍｍ以上２００ｍｍ以下である。
【００１５】
突出片６の先端は、濾紙又は濾布５０に損傷を与えにくいように一定の微小な丸味７を設けるのが好ましい。また、突出片６の厚さは、ボール本体１の厚さより薄くするのが好ましい。具体的には、突出片６の厚さは、０．５ｍｍ以上３ｍｍ以下とし、１ｍｍ以上２ｍｍ以下とするのがより好ましい。なお、突出片６は、一端がボール本体１又はフランジ２に固定され、他端が自由端となる曲げ片であって、その形状は図６に示したものに限定されない。
【００１６】
次に、このボール１００の使用方法について説明する。図７に、ボールに濾紙又は濾布を装着した状態を示す。ボール１００の取付部３に対し、当該ボール１００の上部に覆いかぶさるように濾紙又は濾布５０を載せる。このとき濾紙又は濾布５０の大きさは、取付部３の全てが隠れる程度とする。そして、濾紙又は濾布５０の前記取付部３の上に位置する部分を指Ｆで押し、濾紙又は濾布５０を突出片６の間に挿し入れる。これにより突出片６が変形して濾紙又は濾布５０が当該突出片６の間に挟まれ、濾紙又は濾布５０がボール本体１の四隅に固定される。濾紙又は濾布５０は、突出片６に挟まれればそれで十分であるから、指Ｆで無造作に押し込むだけで簡単に固定できる。
【００１７】
続いて、油っぽいスープ等の濾過したい溶液を濾紙又は濾布５０の上に流す。これにより、水分のみが濾紙又は濾布５０を通過してボール本体１の中に落ち、溶液に含まれる固形物等が濾紙又は濾布５０の上に残る。そして、濾紙又は濾布５０を引っ張って当該濾紙又は濾布５０を取付部３から引き抜く。このとき、突出片６が自在に且つそれぞれ弾性変形するので、ある程度の力を入れれば簡単に引き抜くことができる。濾紙又は濾布５０は、そのまま廃棄するか、洗浄して再利用する。なお、上記濾紙又は濾布５０には、目合いの大きな一見して網のようなものも含まれるものとする。
【００１８】
また、別の用途として、ボール本体１に食品を収納し、ナプキン等の布やビニール等を前記取付部３に取り付けても良い。ナプキン等の通気性の高い布を被せておけば、内部の食品が湿気るのを防止できるし、ビニール等の通気性がない素材であれば内部の食品の乾燥を防止できる。
【００１９】
以上、この発明のボール１００によれば、ボール本体１の上部周縁のフランジ２に複数の突出片６を連設した構造突出片６により構成した取付部３を設けたことで、濾紙又は濾布５０を手軽にボール本体１の上に装着できるようになる。
【００２０】
（実施の形態２）
図８は、この発明の実施の形態２にかかるボールを示す斜視図である。このボール２００は、上記実施の形態１の取付部３をボール本体１の上部周縁に設けた点に特徴がある。フランジ２は省略されている。その他の構成は上記実施の形態１のボール１００と同じである。このように、ボール本体１の上部周縁に取付部３を均等に４つ配置するようにしても、濾紙又は濾布５０を簡単に装着できる。また、当該実施の形態２のボール２００は、濾紙又は濾布５０を取付部３に対して外側から押し込んで固定しても良いし、内側から押し込んで固定しても良い。外側から濾紙又は濾布５０を取り付けるようにすれば、比較的簡単に濾紙又は濾布５０の装着ができる。内側から取り付ける場合は、溶液が濾紙又は濾布５０をこえてもボール１００から外にこぼれることがない。
【００２１】
上記実施の形態１及び２では、取付部３の構造として舌状の突出片６を周状に形成したものを示したが、これに限定されるものではない。例えば、図９に示すように、切り込み１２により四角形状の曲げ片１０の自由端１１側を対向させた構造でも良い。この構造でもボール本体１と一体成形でき、指で濾紙又は濾布５０を押し込むことで簡単に固定できる。また、図１０に示すように、半円形の曲げ片１２が切り込み１３によってボール１００のフランジ２に形成された構造でも良い。
【００２２】
なお、上記実施の形態１及び２において、取付部３のみをシリコン等の柔軟性のある素材により構成した別体とし、プラスチック等の硬質材料から構成したボール本体１に取り付けるようにしても良い（図示省略）。
【００２３】
（実施の形態３）
図１１は、この発明の実施の形態３に係るボールを示す斜視図である。このボール３００は、上部周端から所定長さの切り込み２１が設けられ、その切り込み２１の入口に円弧状の面取り部２２が設けられ、底に穴２３が設けられた取付部２４を均等に４つ設けた構成である。切り込み２１の幅は、１ｍｍ以上４ｍｍ以下が好ましく、２ｍｍ以上３ｍｍ以下がより好ましい。ボール３００の素材及び厚さ、硬度は上記実施の形態１と同様である。
【００２４】
このボール３００は、濾紙又は濾布５０の端を手に持って引っ張りながら切り込み２１に差し入れる。そうすると、濾紙又は濾布５０は面取り部２２に沿って切れ込み２１に入り込む。切り込み２１は一定の幅を有しているから、濾紙又は濾布５０は、ボール３００の周縁の僅かな変形により差し込まれ、切り込み２１の底の穴２３にその一部が収まり、固定される。
【００２５】
以上、この発明のボール３００によれば、濾紙又は濾布５０を簡単に装着できる。なお、前記取付部２３の切り込み２１は、多少斜めに形成されても良い（図示省略）。
【符号の説明】
【００２６】
１００  ボール
１  ボール本体
２  フランジ
３  取付部
６  突出片
【図１】
0005385334.tif 000002
【図２】
0005385334.tif 000003
【図３】
0005385334.tif 000004
【図４】
0005385334.tif 000005
【図５】
0005385334.tif 000006
【図６】
0005385334.tif 000007
【図７】
0005385334.tif 000008
【図８】
0005385334.tif 000009
【図９】
0005385334.tif 000010
【図１０】
0005385334.tif 000011
【図１１】
0005385334.tif 000012